(57)【特許請求の範囲】
【請求項１】
プラントのプラントデータ収集保存装置から送信されたプラントデータを受信するデータ受信手段と、
前記データ受信手段で受信したプラントデータのうちのパラメータデータを保存するパラメータデータ保存手段と、
前記パラメータデータ保存手段に保存されるパラメータデータを登録し検索するパラメータデータ登録検索手段と、
前記パラメータデータ登録検索手段で検索されたパラメータデータを表示するパラメータデータ表示手段と、
前記データ受信手段で受信したプラントデータのうちのプラント機器系統の運用状態を表す運用データを保存する運用データ保存手段と、
前記運用データ保存手段に保存される運用データを登録し検索する運用データ登録検索手段と、
前記パラメータデータ保存手段のパラメータデータに基づいて、事象予測データ登録検索手段を用いることにより、パラメータデータの変化予測を行なってその変化予測を前記パラメータデータ表示手段に表示させる事象予測データ保存手段と、
を有し、
前記事象予測データ保存手段は、前記パラメータデータの変化予測として、パラメータデータの変化に対応する適切な対応措置およびその適切なタイミングを、前記パラメータデータ保存手段に保存されたパラメータデータに基いて生成し、この適切な対応措置を適切なタイミングで行なった場合のパラメータデータの変化を予測した第１の事象予測データ、および前記対応措置が遅れた場合のパラメータデータの変化を予測した第２の事象予測データを生成し、
前記パラメータデータ表示手段は、前記第１の事象予測データおよび前記第２の事象予測データを同一グラフ上に重ねて表示すること、
を特徴とするプラント運転支援装置。
【請求項２】
パラメータデータに関する異常兆候データを、異常兆候データ登録検索手段を用いることにより保存する異常兆候データ保存手段を有し、
前記パラメータデータ表示手段は、前記パラメータデータと前記異常兆候データ保存手段に保存された異常兆候データとを同一画面上に合わせて対比して表示すること、
を特徴とする請求項１に記載のプラント運転支援装置。
【請求項３】
前記プラントの運転に係る保安規定データを保存する保安規定データ保存手段と、
前記保安規定データ保存手段に保存される保安規定データを登録し検索する保安規定データ登録検索手段と、
を有し、
前記パラメータデータ表示手段は、前記保安規定データ保存手段によって保存された保安規定データから、前記保安規定データ登録検索手段によって検索された保安規定に準拠したプラント運用を行なうために留意すべきデータをプラントの運転状況に応じて抽出して、表示する機能を有すること、
を特徴とする請求項１または２に記載のプラント運転支援装置。
【請求項４】
前記プラントの運転に係る保安規定データを保存する保安規定データ保存手段と、
前記保安規定データ保存手段に保存される保安規定データを登録し検索する保安規定データ登録検索手段と、
を有し、
前記パラメータデータは、前記保安規定データ登録検索手段によって検索された保安規定データと比較評価され、前記パラメータデータ表示手段に比較表示され、プラントの運用が保安規定に抵触するか、または抵触するおそれがあるかを表示する機能を備えていること、を特徴とする請求項１ないし３のいずれかに記載のプラント運転支援装置。
【請求項５】
前記プラントの運転に係る保安規定データを保存する保安規定データ保存手段と、
前記保安規定データ保存手段に保存される保安規定データを登録し検索する保安規定データ登録検索手段と、
を有し、
前記運用データは、前記保安規定データ登録検索手段によって検索された保安規定データと比較評価され、前記運用データ表示手段に比較表示され、プラントの運用が保安規定に抵触するか、または抵触するおそれがあるかを表示する機能を備えていること、を特徴とする請求項１ないし４のいずれかに記載のプラント運転支援装置。
【請求項６】
前記プラントの運転に係る保安規定データを保存する保安規定データ保存手段と、
前記保安規定データ保存手段に保存される保安規定データを登録し検索する保安規定データ登録検索手段と、
前記保安規定データ保存手段に保存された保安規定データに基づいた表示を行なう保安規定データ表示手段と、
を有し、
前記保安規定データ表示手段は、機器系統の運用を体系的なロジック図で提示すること、を特徴とする請求項１ないし５いずれかに記載のプラント運転支援装置。
【請求項７】
前記パラメータデータまたは前記運用データと前記保安規定データとを比較評価した結果が、前記プラントの運用が保安規定に抵触するか、または抵触するおそれがあると判定された場合に、前記プラントの運転に関する対応をガイドする対応ガイドデータを保存する対応ガイドデータ保存手段と、
この対応ガイドデータ保存手段の対応ガイドデータを登録し検索する対応ガイドデータ登録検索手段と、
前記対応ガイドデータを表示する対応ガイドデータ表示手段と、
を備えていること、を特徴とする請求項４ないし６のいずれかに記載のプラント運転支援装置。
【請求項８】
プラントのプラントデータ収集保存装置から送信されたプラントデータを受信するデータ受信工程と、
前記データ受信工程で受信したプラントデータのうちのパラメータデータを保存するパラメータデータ保存工程と、
前記パラメータデータ保存工程で保存されるパラメータデータを登録し検索するパラメータデータ登録検索工程と、
前記パラメータデータ登録検索工程で検索されたパラメータデータを表示するパラメータデータ表示工程と、
前記データ受信工程で受信したプラントデータのうちのプラント機器系統の運用状態を表す運用データを保存する運用データ保存工程と、
前記運用データ保存工程で保存される運用データを登録し検索する運用データ登録検索工程と、
前記運用データ登録検索工程で検索された運用データを表示する運用データ表示工程と、
前記パラメータデータ保存工程で保存されたパラメータデータに基づいて、パラメータデータの変化予測を行なってその変化予測を前記パラメータデータ表示工程に表示させる事象予測データ保存工程と、
を有し、
前記事象予測データ保存工程は、パラメータデータの変化に対応する適切な対応措置およびその適切なタイミングを、前記パラメータデータ保存工程で保存されたパラメータデータに基いて生成し、この適切な対応措置を適切なタイミングで行なった場合のパラメータデータの変化を予測した第１の事象予測データ、および前記対応措置が遅れた場合のパラメータデータの変化を予測した第２の事象予測データを生成して前記パラメータデータの変化予測を行い、
前記パラメータデータ表示工程は、前記第１の事象予測データおよび前記第２の事象予測データを同一グラフ上に重ねて表示すること、
を特徴とするプラント運転支援方法。
【発明の詳細な説明】
【技術分野】
【０００１】
本発明は、原子力発電プラントなどのプラントの保安規定に準拠したプラント運用するためのプラント運転支援装置およびプラント運転支援方法に関する。
【背景技術】
【０００２】
原子力発電プラント保安規定の中核であるプラント運転管理における運転上の留意事項・制限の項目は、大きく分類すると、（１）パラメータに関する項目と、（２）機器系統の運用に関する項目に大別される（特許文献１，２参照）。
【０００３】
（１）パラメータに関する項目は、各電力会社の自主運用管理基準等の品質管理図書に従い、運転日誌、中央制御室、計算機、パトロール等での採取データを基に原子力発電プラントに対する技術・知識を有する人間系で逐一評価している。
【０００４】
（２）機器系統の運用に関する項目は、同様に、自主運用管理基準等の品質管理図書に従い、定期検査時安全確保チェックシート、安全確保のための管理基準適合状況チェックシート、作業管理票安全処置事項リスト等を基に原子力発電プラントに対する技術・知識を有する人間系で逐一評価している。
【特許文献１】特開平７−３２０１８６号公報
【特許文献２】特開平９−１１３６７３号公報
【発明の開示】
【発明が解決しようとする課題】
【０００５】
従来の技術を適用した原子力発電プラントにおける保安規定に準拠した運転支援においては、以下の解決すべき課題が残されていた。
【０００６】
（１）原子力発電プラントに対する高度な技術・知識を有する人間系でないと評価できなかった。
【０００７】
（２）人間系で評価するため、統一した評価ができなかった。
【０００８】
（３）パラメータに関する項目と、機器系統の運用に関する項目を別々に管理し、保安規定に準拠したプラント運用として統合的管理がなされていなかった。
【０００９】
（４）パラメータに関する項目、機器系統の運用に関する項目とも統合的管理がなされていないため、原子力発電プラントが保安規定に準じて運用されていることのエビデンスとして利用できなかった。
【００１０】
（５）人間系で逐一評価するために多大な労力を必要とするだけでなく、誤記等のエラーが発生していた。
【００１１】
（６）人間系で評価するため、作為的なデータ管理を防ぐ手段はなかった。
【００１２】
本発明は上記課題に鑑みてなされたものであって、プラントの保安規定に準拠したプラント運用において、多数の運転パラメータおよび機器系統の監視・診断に係る運用管理を支援しつつ、迅速かつ正確なプラント運用のエビデンスの管理を容易にすることができるようにすることを目的とする。
【課題を解決するための手段】
【００１３】
上記目的を達成するために、本発明に係るプラント運転支援装置は、プラントのプラントデータ収集保存装置から送信されたプラントデータを受信するデータ受信手段と、前記データ受信手段で受信したプラントデータのうちのパラメータデータを保存するパラメータデータ保存手段と、前記パラメータデータ保存手段に保存されるパラメータデータを登録し検索するパラメータデータ登録検索手段と、前記パラメータデータ登録検索手段で検索されたパラメータデータを表示するパラメータデータ表示手段と、前記データ受信手段で受信したプラントデータのうちのプラント機器系統の運用状態を表す運用データを保存する運用データ保存手段と、前記運用データ保存手段に保存される運用データを登録し検索する運用データ登録検索手段と、前記パラメータデータ保存手段のパラメータデータに基づいて、事象予測データ登録検索手段を用いることにより、パラメータデータの変化予測を行なってその変化予測を前記パラメータデータ表示手段に表示させる事象予測データ保存手段と、を有し、前記事象予測データ保存手段は、前記パラメータデータの変化予測として、パラメータデータの変化に対応する適切な対応措置およびその適切なタイミングを、前記パラメータデータ保存手段に保存されたパラメータデータに基いて生成し、この適切な対応措置を適切なタイミングで行なった場合のパラメータデータの変化を予測した第１の事象予測データ、および前記対応措置が遅れた場合のパラメータデータの変化を予測した第２の事象予測データを生成し、前記パラメータデータ表示手段は、前記第１の事象予測データおよび前記第２の事象予測データを同一グラフ上に重ねて表示すること、を特徴とする。
【００１４】
また、本発明に係るプラント運転支援方法は、プラントのプラントデータ収集保存装置から送信されたプラントデータを受信するデータ受信工程と、前記データ受信工程で受信したプラントデータのうちのパラメータデータを保存するパラメータデータ保存工程と、前記パラメータデータ保存工程で保存されるパラメータデータを登録し検索するパラメータデータ登録検索工程と、前記パラメータデータ登録検索工程で検索されたパラメータデータを表示するパラメータデータ表示工程と、前記データ受信工程で受信したプラントデータのうちのプラント機器系統の運用状態を表す運用データを保存する運用データ保存工程と、前記運用データ保存工程で保存される運用データを登録し検索する運用データ登録検索工程と、前記運用データ登録検索工程で検索された運用データを表示する運用データ表示工程と、前記パラメータデータ保存工程で保存されたパラメータデータに基づいて、パラメータデータの変化予測を行なってその変化予測を前記パラメータデータ表示工程に表示させる事象予測データ保存工程と、を有し、前記事象予測データ保存工程は、パラメータデータの変化に対応する適切な対応措置およびその適切なタイミングを、前記パラメータデータ保存工程で保存されたパラメータデータに基いて生成し、この適切な対応措置を適切なタイミングで行なった場合のパラメータデータの変化を予測した第１の事象予測データ、および前記対応措置が遅れた場合のパラメータデータの変化を予測した第２の事象予測データを生成して前記パラメータデータの変化予測を行い、前記パラメータデータ表示工程は、前記第１の事象予測データおよび前記第２の事象予測データを同一グラフ上に重ねて表示すること、を特徴とする。
【発明の効果】
【００１５】
本発明によれば、プラントの保安規定に準拠したプラント運用において、多数の運転パラメータおよび機器系統の監視・診断に係る運用管理を支援しつつ、迅速かつ正確なプラント運用のエビデンスの管理を容易にすることができる。
【発明を実施するための最良の形態】
【００１６】
以下、本発明に係るプラント運転支援装置の一実施形態を、図面を参照して説明する。図１は、本発明に係るプラント運転支援装置２０の一実施形態を示すブロック図である。原子力発電プラントの膨大な数にのぼる運転パラメータおよび機器系統の運用状況に係るプラントデータは、計算機もしくは現場パトロール時のデータ収集等に利用される端末装置等（プラントデータ収集保存装置１）からデータ送信手段２を介してプラント運転支援装置２０のデータ受信手段３により受信される。データ受信手段３で受信したプラントデータのうち、プラントパラメータ関連のデータはパラメータデータ保存手段４１に、プラントの機器系統運用関連のデータは運用データ保存手段４２に分類して蓄積される。
【００１７】
パラメータデータ保存手段４１に蓄積されたデータは、オンラインもしくはパラメータデータ登録検索手段６１を用いることにより、パラメータデータ表示手段５１に表示される。同様に、運用データ保存手段４２に蓄積されたデータは、オンラインもしくは運用データ登録検索手段６２を用いることにより運用データ表示手段５２に表示される。
【００１８】
当該プラントの過去の異常兆候および不適合のパラメータデータは、異常兆候データ保存手段４３に蓄積される。異常兆候データ保存手段４３は、異常兆候データ登録検索手段６３を用いることにより、他の原子力発電プラントにおける過去の異常兆候および不適合のデータを蓄積することも可能となっている。この異常兆候データ保存手段４３で得られたパラメータデータは、パラメータデータ保存手段４１のデータとともにパラメータデータ表示手段５１に表示される。
【００１９】
事象予測データ保存手段４４はパラメータデータ保存手段４１のデータに基づいて、事象予測データ登録検索手段６４を用いることにより、プラントの挙動を予測する機能を備えている。この予測結果はパラメータデータ表示手段５１に表示される。
【００２０】
プラントの機器系統運用に係る保安規定関連データを保存するために保安規定データ保存手段４５が設けられている。この保安規定データ保存手段４５に蓄積されたデータは、保安規定データ登録検索手段６５によって検索され、保安規定データ表示手段５５によって表示されるようになっている。
【００２１】
また、保安規定に準拠するための運転対応のガイドを保存する対応ガイドデータ保存手段４６と、この対応ガイドを登録し検索するための対応ガイドデータ登録検索手段６６が設けられている。これにより得られた対応ガイドを表示する対応ガイドデータ表示手段５６が設けられている。
【００２２】
図２は、パラメータデータ保存手段４１に蓄積されたデータが、オンラインもしくはパラメータデータ登録検索手段６１を用いることによりオンデマンドで視覚的にパラメータデータ表示手段５１に表示された例を示す。この図で、実線１０１は今回の事象におけるパラメータＸの推移を示し、実線１０２は過去の類似事象におけるパラメータＸの推移を示す。この二つの実線１０１および１０２に基づいて、今回の予測（過去の類似事象に基づく評価）として点線１０３を描くことができる。また、保安規定に基づくパラメータＸの設定値Ａを一点鎖線で示している。この図の場合、過去の類似事象では時刻Ｔ１でパラメータＸが保安規定設定値Ａを越えたこと、今回の予測では時刻Ｔ２でパラメータＸが保安規定設定値Ａを越えることが示されている。
【００２３】
図２に示すように、パラメータデータ表示手段５１に表示されるデータは、当該プラントの過去の異常兆候および不適合のデータが蓄積されている異常兆候データ保存手段４３の類似事象と比較表示されることにより、原子力発電プラントの挙動をよりきめ細かく提示し、原子力発電プラントが保安規定に準じて運用されるように支援することが可能となる。異常兆候データ保存手段４３は、異常兆候データ登録検索手段６３を用いることにより、他の原子力発電プラントにおける過去の異常兆候および不適合のデータを蓄積することも可能となっている。
【００２４】
図３は、パラメータデータ保存手段４１に蓄積されたデータが、オンラインもしくはパラメータデータ登録検索手段６１を用いることによりオンデマンドで視覚的にパラメータデータ表示手段５１に表示される表示の例を示す。この図に示すパラメータデータ表示手段５１への表示例では、プラントの挙動を予測する機能を備えた事象予測データ保存手段４４により、適切な対応措置ＡおよびＢを適切なタイミングで行なった場合のパラメータＸの変化予測を実線１０４で示している。また、対応措置が遅れた時のパラメータＸの変化予測を点線１０５で比較表示している。これにより、プラントへの影響評価も行なうことが可能となっている。
【００２５】
図４（ａ）は、パラメータデータ保存手段４１に蓄積されたデータに基づいて、異常兆候データ保存手段４３および事象予測データ保存手段４４によってプラント挙動をパラメータデータ表示手段５１に視覚的に示した例を示す。この図において、実線１１０の場合は保安規定に抵触する可能性があり、点線１１１の場合は保安規定に抵触する可能性が低いが変化があることを表示している。さらに、図４（ｂ）は、この場合のパラメータデータ表示手段５１への他の表示例を示す。この図に示すように、関連パラメータ関連条文が示され、計算機、現場計器などの現在値などが表示される。このように、プラント状況に応じて確認すべきデータを抽出分類して、表示することにより、原子力発電プラントにおける保安規定遵守のために確認すべきデータを明確にすることが可能となっている。
【００２６】
図５は、プラントの機器系統運用に係る保安規定データ保存手段４５に蓄積されたデータを保安規定データ表示手段５５により表示した例を示す。この図に示すように、機器系統の運用を体系的なロジック図で提示することにより、複雑な機器系統の運用を容易に確認することが可能となる。
【００２７】
図６は、表示装置に表示される画面の他の例を示すもので、機器系統の概略図が表示され、これに、機器系統の運転状態がオンラインで表示されている。すなわち、各ポンプについては、運転中、待機中、動作不能のいずれかが、たとえば色によって区別して表示され、各止め弁については、開、閉、開動作不能、閉動作不能のいずれかが、たとえば色によって区別して表示されている。そして、この図に示す状態では、原子炉補機冷却水ポンプ（ＲＣＷポンプ）Ｃが運転中であるが、これが保安規定第ＸＸ条に抵触する可能性があり、隔離する必要があること、その除外許容時間（ＡＯＴ）がＴＴ時間であることが表示されている。このような表示により、現在の機器系統運用状態が明確になるとともに、オンラインメンテナンス等で機器の保修をプラント運転中に計画する際に、任意の機器の隔離操作等が保安規定に抵触するかどうかを評価することが可能となる。
【００２８】
図７は、図６に示すように機器系統の隔離等の運用が保安規定に抵触するもしくは抵触するおそれがあると評価された場合に、保安規定に定められた時系列に応じた検査項目をガイド図として視覚的に提示した例を示している。この図の場合、現在、「残りの冷却水ポンプを検査し動作可能であることを速やかに確認する」べきこと、そして１０日後までに「当該冷却水ポンプを動作可能な状態に復旧」するべきことが表示されている。さらに、「上記の措置を完了時間内に達成できない場合（及び２系列にわたってポンプが動作不能の場合）及び異なる区分の系統が動作不能の場合」については、１０日後から、「高温停止」、「低温停止」などを所定時間以内に行なうべきことが表示されている。
【００２９】
以上説明したように、系統機器の運用に関して図５〜図７に示すような視覚効果の高い表示を行なうことにより、原子力発電プラントにおける保安規定遵守を支援することが可能となる。
【図面の簡単な説明】
【００３０】
【図１】本発明に係るプラント運転支援装置の一実施形態を示すブロック図。
【図２】図１のプラント運転支援装置において、プラント挙動と過去の類似事象とを、パラメータＸの時間変化として表示する表示画面の例を示す図。
【図３】図１のプラント運転支援装置において、プラント挙動と予測事象とを、パラメータＸの時間変化として表示する表示画面の例を示す図。
【図４】（ａ）は、図１のプラント運転支援装置において、プラント挙動を、パラメータＸの時間変化として表示する表示画面の例を示す図、（ｂ）は、プラント挙動の保安規定抵触の評価と関連パラメータをディジタル値として表示する表示画面の例を示す図。
【図５】図１のプラント運転支援装置において、保安規定関連データのうち機器系統運用支援のロジックを表示する表示画面の例を示す図。
【図６】図１のプラント運転支援装置において、保安規定関連データのうち機器系統運用状況をオンライン表示する表示画面の例を示す図。
【図７】図１のプラント運転支援装置において、保安規定関連データのうち機器系統運用が保安規定に抵触した際に提示されるガイド表示画面の例を示す図。
【符号の説明】
【００３１】
１…プラントデータ収集保存装置
２…データ送信手段
３…データ受信手段
２０…プラント運転支援装置
４１…パラメータデータ保存手段
４２…運用データ保存手段
４３…異常兆候データ保存手段
４４…事象予測データ保存手段
４５…保安規定データ保存手段
４６…対応ガイドデータ保存手段
５１…パラメータデータ表示手段
５２…運用データ表示手段
５５…保安規定データ表示手段
５６…対応ガイドデータ表示手段
６１…パラメータデータ登録検索手段
６２…運用データ登録検索手段
６３…異常兆候データ登録検索手段
６４…事象予測データ登録検索手段
６５…保安規定データ登録検索手段
６６…対応ガイドデータ登録検索手段
【図１】
0004607702.tif 000002
【図２】
0004607702.tif 000003
【図３】
0004607702.tif 000004
【図４】
0004607702.tif 000005
【図５】
0004607702.tif 000006
【図６】
0004607702.tif 000007
【図７】
0004607702.tif 000008